(57)【特許請求の範囲】
【請求項１】
顕微鏡装置に取り付けられてなり、標本を収容した容器を保持する標本ホルダであって、
平板状をなし、板厚方向に貫通する開口部が形成されている本体と、
前記本体の主面に沿って延在しており前記開口部に配置される前記容器を支持する支持部、及び前記支持部から該支持部と直交する方向に延在しており前記開口部に配置される前記容器に当接する当接部を有し、前記本体に固定可能な容器保持部であって、前記支持部の位置及び前記支持部が延在する方向を前記主面と平行な平面内で変更可能である容器保持部と、
を備えることを特徴とする標本ホルダ。
【請求項２】
前記容器保持部は、
前記支持部が延在する方向の少なくとも一方の端部が、前記本体に対して移動可能であるとともに固定可能であり、
該端部が前記本体に固定された状態で、前記主面と平行な平面内で、該端部を中心に回転可能であることを特徴とする請求項１に記載の標本ホルダ。
【請求項３】
前記本体には、前記容器保持部の前記端部を移動可能かつ固定可能に保持する長孔が形成されていることを特徴とする請求項１又は２に記載の標本ホルダ。
【請求項４】
前記容器保持部は、
前記支持部が延在する方向の２つの前記端部が、前記本体に対して移動可能であるとともに固定可能であり、
前記本体は、
矩形の枠状をなし、
該矩形の２組の対辺のうち１組の対辺に沿って、前記容器保持部の前記支持部が延在する方向の前記２つの端部をそれぞれ移動可能かつ固定可能に保持する長孔が形成されており、
前記２つの長孔の距離は、前記２つの端部の距離よりも小さいことを特徴とする請求項１〜３のいずれか１つに記載の標本ホルダ。
【請求項５】
前記長孔は、前記１組の対辺に沿って、前記開口部を挟んで対称となる位置に２組形成されており、
２つの前記容器保持部が、それぞれ１組の前記長孔に移動可能かつ固定可能に保持され、
前記容器保持部の前記当接部は、前記支持部の他方の前記容器保持部から遠い側から延在していることを特徴とする請求項４に記載の標本ホルダ。
【請求項６】
前記本体の前記開口部の内側の壁面には、円弧状の切欠部が形成されていることを特徴とする請求項１〜５のいずれか１つに記載の標本ホルダ。
【請求項７】
当該標本ホルダは、前記顕微鏡装置のステージに着脱可能に固定されることを特徴とする請求項１〜６のいずれか１つに記載の標本ホルダ。
【発明の詳細な説明】
【技術分野】
【０００１】
本発明は、標本を収容する容器を保持する顕微鏡用の標本ホルダに関する。
【背景技術】
【０００２】
従来、倒立顕微鏡を用いた培養細胞の観察では、用途に応じてφ３５ｍｍディッシュ、φ６０ｍｍディッシュ、フラスコ、マイクロプレート、テラサキプレート、ローラーボトル、スタックチャンバーなど様々な容器が用いられている。さらに、フラスコには、サイズが異なるフラスコや異形形状のフラスコがある。これらの容器内は、例えば標本である培養細胞が浮遊している培養液で満たされている。
【０００３】
観察者は、容器を直接手で移動させる、或いは、標本ホルダに保持された容器を顕微鏡のステージ上に置き、ステージを移動させることで標本の位置合わせを行う。このような容器を保持する標本ホルダとして、例えば特許文献１、２の標本ホルダが開示されている。
【先行技術文献】
【特許文献】
【０００４】
【特許文献１】特開昭５７−０５６８１２号公報
【特許文献２】特開平１１−２０２２１３号公報
【発明の概要】
【発明が解決しようとする課題】
【０００５】
しかしながら、特許文献１、２の標本ホルダは、スライドガラス、ディッシュを保持することができるが、フラスコ、テラサキプレート等の容器を安定して保持することができない。特許文献１、２の標本ホルダで、例えば直方体形状の容器を保持する場合、容器保持部を容器の両側に当接させて容器を挟持する。このとき容器を挟持する方向と垂直な方向については、容器が保持されておらず容器がずれる場合がある。
【０００６】
また、従来の標本ホルダでは、油浸対物レンズを使用する場合に、対物レンズと容器とが密着してしまい、容器が標本ホルダにはじめに固定した位置からずれる場合がある。また、従来の標本ホルダでは、顕微授精などでマニピュレータを用いて細胞を操作する場合に、マニピュレータと当たって容器が標本ホルダにはじめに固定した位置からずれる場合がある。
【０００７】
本発明は、上記に鑑みてなされたものであって、少なくともディッシュ、スライドガラス、フラスコ、及びテラサキプレートを確実に固定して保持することができる標本ホルダを提供することを目的とする。
【課題を解決するための手段】
【０００８】
上述した課題を解決し、目的を達成するために、本発明の一態様に係る標本ホルダは、顕微鏡装置に取り付けられてなり、標本を収容した容器を保持する標本ホルダであって、平板状をなし、板厚方向に貫通する開口部が形成されている本体と、前記本体の主面に沿って延在しており前記開口部に配置される前記容器を支持する支持部、及び前記支持部から該支持部と直交する方向に延在しており前記開口部に配置される前記容器に当接する当接部を有し、前記本体に固定可能な容器保持部であって、前記支持部の位置及び前記支持部が延在する方向を前記主面と平行な平面内で変更可能である容器保持部と、を備えることを特徴とする。
【０００９】
また、本発明の一態様に係る標本ホルダは、前記容器保持部は、前記支持部が延在する方向の少なくとも一方の端部が、前記本体に対して移動可能であるとともに固定可能であり、該端部が前記本体に固定された状態で、前記主面と平行な平面内で、該端部を中心に回転可能であることを特徴とする。
【００１０】
また、本発明の一態様に係る標本ホルダは、前記本体には、前記容器保持部の前記端部を移動可能かつ固定可能に保持する長孔が形成されていることを特徴とする。
【００１１】
また、本発明の一態様に係る標本ホルダは、前記容器保持部は、前記支持部が延在する方向の２つの前記端部が、前記本体に対して移動可能であるとともに固定可能であり、前記本体は、矩形の枠状をなし、該矩形の２組の対辺のうち１組の対辺に沿って、前記容器保持部の前記支持部が延在する方向の前記２つの端部をそれぞれ移動可能かつ固定可能に保持する長孔が形成されており、前記２つの長孔の距離は、前記２つの端部の距離よりも小さいことを特徴とする。
【００１２】
また、本発明の一態様に係る標本ホルダは、前記長孔は、前記１組の対辺に沿って、前記開口部を挟んで対称となる位置に２組形成されており、２つの前記容器保持部が、それぞれ１組の前記長孔に移動可能かつ固定可能に保持され、前記容器保持部の前記当接部は、前記支持部の他方の前記容器保持部から遠い側から延在していることを特徴とする。
【００１３】
また、本発明の一態様に係る標本ホルダは、前記本体の前記開口部の内側の壁面には、円弧状の切欠部が形成されていることを特徴とする。
【００１４】
また、本発明の一態様に係る標本ホルダは、当該標本ホルダは、前記顕微鏡装置のステージに着脱可能に固定されることを特徴とする。
【発明の効果】
【００１５】
本発明によれば、少なくともディッシュ、スライドガラス、フラスコ、及びテラサキプレートを確実に固定して保持することができる標本ホルダを実現することができる。
【図面の簡単な説明】
【００１６】
【図１】図１は、本発明の実施の形態１に係る標本ホルダを設置した顕微鏡装置の概略構成を示す図である。
【図２】図２は、ステージ及びメカニカルステージを図１の紙面上方から見た模式図である。
【図３】図３は、図２のＡ矢視図である。
【図４】図４は、本発明の実施の形態１に係る標本ホルダの概略構成を示す図である。
【図５】図５は、図４のＢＣＤＥ線の組み合わせ断面図である。
【図６】図６は、容器保持部の部分拡大図である。
【図７】図７は、本発明の実施の形態１に係る標本ホルダで直方体形状の容器を保持した状態を表す図である。
【図８】図８は、本発明の実施の形態１に係る標本ホルダで異形形状の容器を保持した状態を表す図である。
【図９】図９は、本発明の実施の形態１に係る標本ホルダで異形形状の容器を保持した状態を表す図である。
【図１０】図１０は、実施の形態１の変形例１に係る標本ホルダの概略構成を示す図である。
【図１１】図１１は、実施の形態１の変形例２に係る標本ホルダの概略構成を示す図である。
【図１２】図１２は、実施の形態１の変形例３に係る標本ホルダの概略構成を示す図である。
【図１３】図１３は、本発明の実施の形態２に係る標本ホルダの概略構成を示す図である。
【図１４】図１４は、本発明の実施の形態３に係る標本ホルダの概略構成を示す図である。
【図１５】図１５は、実施の形態３の変形例に係る標本ホルダの概略構成を示す図である。
【発明を実施するための形態】
【００１７】
以下に、図面を参照して本発明に係る標本ホルダの実施の形態を説明する。なお、これらの実施の形態により本発明が限定されるものではない。以下の実施の形態においては、倒立顕微鏡の標本ホルダを例示して説明するが、本発明は、標本を収容する容器を保持する顕微鏡用の標本ホルダの一般に適用することができる。
【００１８】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１９】
（実施の形態１）
図１は、本発明の実施の形態１に係る標本ホルダを設置した顕微鏡装置の概略構成を示す図である。顕微鏡装置１００は、顕微鏡本体１０１と、標本を載置するステージ１０２と、標本の位置合わせを行うメカニカルステージ１０３と、ステージ１０２の上方に配置される光源１０４と、光源１０４からの照明光を標本に集光するコンデンサ１０５と、光源１０４とコンデンサ１０５とを保持する照明支柱１０６と、ステージ１０２の下部に配置されて標本を透過した観察像を拡大する対物レンズ１０７と、対物レンズ１０７を保持するレボルバ１０８と、対物レンズ１０７及びレボルバ１０８を上下動させる焦準ハンドル１０９と、対物レンズ１０７により拡大された観察像を反射する反射ミラー１１０と、不図示のリレー光学系を収容する観察鏡筒１１１と、観察鏡筒１１１に取り付けられ観察像をさらに拡大する接眼レンズ１１２と、を備える。顕微鏡装置１００の各光学素子は、顕微鏡装置１００の観察光軸Ｏに沿って、標本の観察を行うための適切な位置に配置されている。
【００２０】
標本ホルダ１は、例えば培養液中を浮遊する培養細胞である標本が収容された容器１５０を保持する。標本ホルダ１は、顕微鏡装置１００の観察光軸Ｏと直交する面に沿って、顕微鏡装置１００のステージ１０２上にメカニカルステージ１０３を介して取り付けられる。
【００２１】
図２は、ステージ及びメカニカルステージを図１の紙面上方から見た模式図である。図３は、図２のＡ矢視図である。ステージ１０２には、穴１０２ａが形成されている。この穴１０２ａにより、標本を下方から観察することができる。
【００２２】
メカニカルステージ１０３は、ホルダ保持部１０３ａと、機構部１０３ｂと、ハンドル１０３ｃと、を有する。ホルダ保持部１０３ａの内周は、マイクロプレートの外形に合わせて形成されており、ホルダ保持部１０３ａは、マイクロプレートをずれないように保持する。さらに、ホルダ保持部１０３ａの内周は、標本ホルダ１の外形と一致し、ホルダ保持部１０３ａは、標本ホルダ１をずれないように保持する。機構部１０３ｂは、ホルダ保持部１０３ａに連結されている。ハンドル１０３ｃは、機構部１０３ｂ内に収容された不図示の歯車、ベルト等を介してホルダ保持部１０３ａに接続されている。ハンドル１０３ｃを回転させると、ホルダ保持部１０３ａが図２のＸ方向、Ｙ方向に移動する。その結果、標本ホルダ１を介してメカニカルステージ１０３に固定された容器１５０の所望の位置を観察することができる。
【００２３】
光源１０４は、透過照明用の光源であり、ハロゲンランプや水銀ランプ等が用いられる。
【００２４】
コンデンサ１０５は、照明支柱１０６に保持され、光源１０４から出射された照明光の光軸上に配置されており、光源１０４からの照明光を容器１５０に収容された標本に集光する。
【００２５】
照明支柱１０６は、ステージ１０２に不図示のビスで固定され、ステージ１０２の上方に延在する。
【００２６】
対物レンズ１０７は、標本を透過した観察像を所定の倍率で拡大する。図１では対物レンズ１０７を１本のみ記載したが、倍率の異なる複数本からなる構成であってもよい。レボルバ１０８は、対物レンズ１０７を保持し、回転操作によりいずれか１本の対物レンズ１０７を観察光軸Ｏ上に配置する。
【００２７】
焦準ハンドル１０９は、回転操作により対物レンズ１０７及びレボルバ１０８を顕微鏡装置１００の観察光軸Ｏに沿って上下動させる。その結果、ステージ１０２上に載置された容器１５０に収容された標本と対物レンズ１０７との相対距離を変化させ、標本へのピント合わせを行うことができる。
【００２８】
反射ミラー１１０は、レボルバ１０８の下方の観察光軸Ｏ上に設けられ、標本を透過し、対物レンズ１０７で拡大された観察像を斜め上の方向に反射する。反射方向は、例えば水平に対し４５°の角度を有する方向である。
【００２９】
容器１５０は、例えばディッシュ、スライドガラス、フラスコ、テラサキプレート等である。
【００３０】
次に、顕微鏡装置１００を用いて標本を観察する動作について説明する。まず、光源１０４から出射された照明光は、コンデンサ１０５で集光されて標本に照射される。標本を透過した観察像は、対物レンズ１０７で拡大され、さらに反射ミラー１１０で反射される。反射ミラー１１０で反射された観察像は、不図示のリレー光学系を介して接眼レンズ１１２でさらに拡大される。観察者は、接眼レンズ１１２を介して標本の拡大像を目視観察する。
【００３１】
次に、実施の形態１に係る標本ホルダ１について詳細に説明する。図４は、本発明の実施の形態１に係る標本ホルダの概略構成を示す図である。図５は、図４のＢＣＤＥ線の組み合わせ断面図である。図４及び図５の面Ｐは同一の面を表している。標本ホルダ１は、矩形の枠状をなす本体２と、本体２の長手方向の両側にそれぞれ２つずつ取り付けられたツマミ３と、本体２の枠の内側にツマミ３で取り付けられた容器保持部４と、本体２とツマミ３との間及び本体２と容器保持部４との間にそれぞれ配置された複数のワッシャ５と、を備える。
【００３２】
本体２には、平板状をなし、板厚方向に貫通する開口部２ａが形成されている。さらに、本体２には、矩形の２組の対辺のうち１組の対辺に沿って、開口部２ａを挟んで対称となる位置に２組の長孔２ｂが形成されている。長孔２ｂは、後述する容器保持部４の端部を移動可能かつ固定可能に保持する。本体２の外形は、メカニカルステージ１０３のホルダ保持部１０３ａの内周と一致する。なお、本明細書において、平板状の本体２が延在する面を本体２の主面と定義する。標本ホルダ１を顕微鏡装置１００に取り付けた状態において、本体２の主面と顕微鏡装置１００の観察光軸Ｏと直交する面とが一致する。
【００３３】
ツマミ３は、円柱形状をなし、内部には底面から上方に向かって雌ネジが形成されている。ツマミ３の直径は、長孔２ｂの幅より大きいことが好ましい。
【００３４】
２つの容器保持部４は、それぞれが本体２の開口部２ａを挟んで対称となる位置に形成された１組の長孔２ｂに移動可能かつ固定可能に保持されている。各容器保持部４は、端部としてのネジ部４ａと、当接部４ｂと、支持部４ｃと、を有し、本体２に固定可能である。
【００３５】
ネジ部４ａは、支持部４ｃが延在する方向の２つの端部に設けられている。ネジ部４ａの下端には、支持部４ｃが連結されており、ネジ部４ａの上端の外周には、雄ネジが形成されている。ネジ部４ａの上端は、本体２の長孔２ｂを介してツマミ３と螺合される。ネジ部４ａとツマミ３との締結を緩めた状態（ただしネジ部４ａはツマミ３から脱離していない）では、ネジ部４ａは本体２の長孔２ｂ内を移動可能であり、容器保持部４は本体２から脱離しないように長孔２ｂに保持される。これに対し、ツマミ３を固く締めた状態では、容器保持部４は本体２に固定される。
【００３６】
当接部４ｂは、支持部４ｃの他方の容器保持部４から遠い側から支持部４ｃと直交する方向に延在しており、本体２の開口部２ａに配置される容器１５０に当接する。支持部４ｃは、本体２の主面に沿って本体２の短手方向に沿って延在しており、本体２の開口部２ａに配置される容器１５０を支持する。また、容器保持部４の両端には、支持部４ｃが形成されているが当接部４ｂが形成されていない領域が設けられ、容器保持部４を移動させる際に、本体２と当接部４ｂとが干渉しない構成とされている。
【００３７】
図６は、容器保持部の部分拡大図である。図６の幅αと幅βとは、容器保持部４のネジ部４ａと本体２の長孔２ｂとの隙間の幅を表す。標本ホルダ１では、幅αと幅βとが所定の値とされており、対辺の２つの長孔２ｂの距離Ｌ１が容器保持部４の２つのネジ部４ａ間の距離Ｌ２よりも小さい。その結果、容器保持部４は、ネジ部４ａのいずれか一方が本体２に固定された状態（図６では上方のネジ部４ａが本体２に固定されている。）で、図６の軌跡Ｒに示すように、本体２の主面と平行な平面内で、そのネジ部４ａ（図６では上方のネジ部４ａ）を中心に回転可能である。すなわち、容器保持部４は、支持部４ｃの位置及び支持部４ｃが延在する方向を本体２の主面と平行な平面内で変更可能である。なお、距離Ｌ１は対向する２つの長孔２ｂの内壁間の距離であり、距離Ｌ２は容器保持部４の２つのネジ部４ａ間の最短距離である。
【００３８】
ワッシャ５は、本体２とツマミ３との間及び本体２と容器保持部４との間に配置され、各部材間の摺動性を高める。
【００３９】
次に、標本ホルダ１で容器を保持する方法について説明する。図７は、本発明の実施の形態１に係る標本ホルダで直方体形状の容器を保持した状態を表す図である。容器１５０Ａは、テラサキプレート等の直方体形状の容器である。まず、観察者は、容器１５０Ａの形状に合わせて、２つの容器保持部４の間の幅を調整し、４つのツマミ３を締めてツマミ３と容器保持部４のネジ部４ａとを締結する。続いて、観察者は、容器１５０Ａの底面が容器保持部４の支持部４ｃに当接し、かつ容器１５０Ａの図７の上方の側面が本体２の開口部２ａの内壁面と当接するように標本ホルダ１に容器１５０Ａを置く。その後、順に各ツマミ３を緩め、図７の位置に容器保持部４を移動させ、２つの容器保持部４の当接部４ｂをそれぞれ斜めに容器１５０Ａの角に当接させてから各ツマミ３を締め、ツマミ３と容器保持部４のネジ部４ａとを固く締結する。すると、２つの容器保持部４の当接部４ｂと、本体２の開口部２ａの内壁面との３カ所が容器１５０Ａに当接する。
【００４０】
標本ホルダ１では、容器１５０Ａに３カ所で当接するため、本体２の主面内で容器１５０Ａがずれないように保持することができる。従って、この標本ホルダ１では、油浸対物レンズの密着やマニピュレータの当接により容器１５０Ａが標本ホルダ１にはじめに固定した位置からずれることがない。
【００４１】
同様の方法により、標本ホルダ１は、外形が矩形であるスライドガラスを保持することができ、標本ホルダ１は、矩形形状をなすスライドガラス、テラサキプレート等を確実に保持することができる。同様に、標本ホルダ１は、円形形状をなすディッシュ等も図７と同様に容器保持部４を斜めに当接することで、２つの容器保持部４の当接部４ｂと、本体２の開口部２ａの内壁面との３カ所を容器１５０に当接させて保持することができる。
【００４２】
図８、図９は、本発明の実施の形態１に係る標本ホルダで異形形状の容器を保持した状態を表す図である。図８、図９に示す容器１５０Ｂは、異形形状のプラスチックフラスコである。図８に示すように、標本ホルダ１の２つの容器保持部４をそれぞれ斜めに容器１５０Ｂの２つの面に当接させる。若しくは、図９に示すように、標本ホルダ１の一方の容器保持部４を斜めに容器１５０Ｂの面に当接させるとともに、標本ホルダ１の他方の容器保持部４を容器１５０Ｂの角に当接させる。すると、２つの容器保持部４の当接部４ｂと、本体２の開口部２ａの内壁面との３カ所が容器１５０Ｂに当接する。このように、標本ホルダ１は、異形形状のフラスコに対しても３カ所以上で当接して保持することができる。
【００４３】
以上説明したように、標本ホルダ１は、様々な形状の容器に３カ所以上で当接して保持することができるため、少なくともディッシュ、スライドガラス、フラスコ、及びテラサキプレートを確実に固定して保持することができる標本ホルダである。
【００４４】
なお、標本ホルダ１は、支持部４ｃが延在する方向と直交する方向の中央を通る線に対して線対称の形状である。そのため、標本ホルダ１では、容器保持部４の移動をスムーズに行うことができるとともに、容器保持部４の両側を固定して容器を確実に保持することができる。
【００４５】
また、標本ホルダ１は、特許文献１のように、バネの弾性力により容器を保持する構成ではないため、バネの弾性力で容器保持部が容器を跳ね上げてしまい、容器内の培養液がこぼれたり、細胞に雑菌が混入（コンタミ）することがない。
【００４６】
（実施の形態１の変形例１）
次に、実施の形態１の変形例１に係る標本ホルダについて説明する。図１０は、実施の形態１の変形例１に係る標本ホルダの概略構成を示す図である。図１０に示すように、実施の形態１の変形例１に係る標本ホルダ１Ａは、本体２Ａの構成を除いて、実施の形態１に係る標本ホルダ１と同様の構成を備えるので、適宜説明を省略する。
【００４７】
本体２Ａには、開口部２Ａａと、長孔２Ａｂと、開口部２Ａａの内側の壁面に円弧状をなす切欠部２Ａｃとが形成されている。切欠部２Ａｃの円弧の直径は、例えばφ６０ｍｍのディッシュの直径と一致する。そして、容器１５０Ｃは、円弧状の側面を有するφ６０ｍｍのディッシュである。
【００４８】
標本ホルダ１Ａでは、２つの容器保持部４の当接部４ｂと、本体２Ａの切欠部２Ａｃとの３カ所を容器１５０Ｃに当接させて保持する。さらに、標本ホルダ１Ａでは、本体２Ａの切欠部２Ａｃと容器１５０Ｃの側面とが一致し、より確実に容器１５０Ｃを固定することができる。従って、標本ホルダ１Ａは、少なくともディッシュ、スライドガラス、フラスコ、及びテラサキプレートを確実に固定して保持することができる。
【００４９】
なお、この標本ホルダ１Ａは、本体２Ａの切欠部２Ａｃの曲率と容器１５０Ｃの曲率とが異なっていても、２つの容器保持部４の当接部４ｂと、本体２Ａの切欠部２Ａｃとの３カ所以上を容器１５０Ｃに当接させて保持することができる。
【００５０】
また、標本ホルダ１Ａは、図１０の上方のみに切欠部２Ａｃが形成されているが、上下の双方に切欠部が形成されている構成であってもよい。この場合、上下の円弧の直径を異なる直径とすることで、例えばφ３５ｍｍのディッシュとφ６０ｍｍのディッシュとの双方のディッシュと直径が等しい切欠部が形成された標本ホルダを実現することができる。
【００５１】
また、標本ホルダ１Ａの切欠部２Ａｃは、円弧状に限定されない。切欠部は、容器の形状に合わせて、Ｖ字状の切り込みや矩形形状の切欠部であってもよい。
【００５２】
（実施の形態１の変形例２）
次に、実施の形態１の変形例２に係る標本ホルダについて説明する。図１１は、実施の形態１の変形例２に係る標本ホルダの概略構成を示す図である。図１１に示すように、実施の形態１の変形例２に係る標本ホルダ１Ｂは、本体２Ｂの構成を除いて、実施の形態１に係る標本ホルダ１と同様の構成を備えるので、適宜説明を省略する。
【００５３】
本体２Ｂには、開口部２Ｂａと、長孔２Ｂｂと、開口部２Ｂａの内側の壁面から突出する突起部２Ｂｄとが形成されている。標本ホルダ１Ｂでは、２つの容器保持部４の当接部４ｂと、本体２Ｂの突起部２Ｂｄとの３カ所を直方体形状の容器１５０Ａに当接させて保持する。従って、標本ホルダ１Ｂは、少なくともディッシュ、スライドガラス、フラスコ、及びテラサキプレートを確実に固定して保持することができる。
【００５４】
（実施の形態１の変形例３）
次に、実施の形態１の変形例３に係る標本ホルダについて説明する。図１２は、実施の形態１の変形例３に係る標本ホルダの概略構成を示す図である。図１２に示すように、実施の形態１の変形例３に係る標本ホルダ１Ｃは、本体２Ｃの構成を除いて、実施の形態１に係る標本ホルダ１と同様の構成を備えるので、適宜説明を省略する。
【００５５】
本体２Ｃには、開口部２Ｃａと、長孔２Ｃｂとが形成されている。さらに、本体２Ｃは、開口部２Ｃａの内側の壁面に形成された切欠部に接着等で固定された、例えばゴムなどの弾性部材からなる弾性部２Ｃｅを有する。標本ホルダ１Ｃでは、２つの容器保持部４の当接部４ｂと、本体２Ｃの弾性部２Ｃｅとの３カ所を直方体形状の容器１５０Ａに当接させて保持する。さらに、標本ホルダ１Ｃでは、容器保持部４から容器１５０Ａに加えられる押圧力により、弾性部２Ｃｅが容器１５０Ａと当接して変形するため、より確実に容器１５０Ａを固定することができる。従って、標本ホルダ１Ｃは、少なくともディッシュ、スライドガラス、フラスコ、及びテラサキプレートを確実に固定して保持することができる。
【００５６】
（実施の形態２）
次に、本発明の実施の形態２に係る標本ホルダについて説明する。図１３は、本発明の実施の形態２に係る標本ホルダの概略構成を示す図である。図１３に示すように、実施の形態２に係る標本ホルダ１１は、片側のみに本体１２の長孔１２ｂ及びツマミ１３が配設されており、それ以外の構成は実施の形態１に係る標本ホルダ１と同様であるので、適宜説明を省略する。
【００５７】
本体１２には、開口部１２ａと、長孔１２ｂとが形成されている。ただし、長孔１２ｂは、図１３の上方のみに形成されている。同様に、ツマミ１３は、図１３の上方のみに取り付けられている。容器保持部１４は、当接部１４ａと、支持部１４ｂとを備える。また、容器保持部１４は、支持部１４ｂが延在する方向の片側（図１３の上方側の端部）のみに本体１２に支持されるとともに本体１２に固定可能な端部としてのネジ部（不図示）が形成されており、このネジ部とツマミ１３とが締結される。一方、容器保持部１４の図１３の下方側の端部は、支持部１４ｂが延伸するのみであり、容器保持部１４と本体１２とは係合していない。
【００５８】
標本ホルダ１１では、２つの容器保持部１４の当接部１４ａと、本体１２の開口部１２ａの内壁面との３カ所を直方体形状の容器１５０Ａに当接させて保持する。このように、容器保持部１４が片側のみで固定される構成であっても容器１５０Ａに３カ所を当接させて保持することができ、標本ホルダ１１は、少なくともディッシュ、スライドガラス、フラスコ、及びテラサキプレートを確実に固定して保持することができる。
【００５９】
なお、標本ホルダ１１で容器１５０Ａを保持する際に、容器保持部１４が図１３の面内において本体１２の外周より外側に出ないことが好ましい。容器保持部１４がメカニカルステージ１０３と干渉し、標本ホルダ１１がメカニカルステージ１０３のホルダ保持部１０３ａにうまく取り付けられない場合があるためである。
【００６０】
また、本体１２は、図１３の下方の端部において、図１３の紙面奥側に向かってコの状に折り返された係合部を備えていてもよい。この係合部に容器保持部１４の図１３の下方の端部が挟持されることにより、容器１５０Ａの重みで容器保持部１４が撓むことを防止することができる。
【００６１】
また、標本ホルダ１１は、必要な部材の数が実施の形態１の標本ホルダ１と比較して少ないため、製造コストを低減させるために有利な構成である。
【００６２】
（実施の形態３）
次に、本発明の実施の形態３に係る標本ホルダについて説明する。図１４は、本発明の実施の形態３に係る標本ホルダの概略構成を示す図である。図１４に示すように、実施の形態３に係る標本ホルダ２１は、本体２２の長手方向に沿って連続した長孔２２ｂが形成され、容器保持部２４が１つのみ設けられているとともに、本体２２が支持部２２ｃを有する。それ以外の構成は実施の形態１に係る標本ホルダ１と同様であるので、適宜説明を省略する。
【００６３】
本体２２には、開口部２２ａと、本体２２の長手方向に沿って連続した長孔２２ｂとが形成されている。さらに、本体２２は、本体２２の主面に沿って延在しており容器１５０Ａを支持する支持部２２ｃを有する。
【００６４】
ツマミ２３は、内部に雌ネジが形成されている。容器保持部２４の両端部には本体２２に支持されるとともに本体２２に固定可能な端部としてのネジ部（不図示）が形成され、ネジ部がツマミ２３と螺合されることにより容器保持部２４が本体２２に固定される。容器保持部２４は、当接部２４ａと、支持部２４ｂと、を有する。当接部２４ａは、支持部２２ｃから遠い側から支持部２４ｂと直交する方向に延在している。
【００６５】
標本ホルダ２１では、１つの容器保持部２４の当接部２４ａと、本体２２の開口部２２ａの２つの内壁面との３カ所を直方体形状の容器１５０Ａに当接させて保持する。このように、容器保持部２４が１つのみの構成であっても容器１５０Ａに３カ所を当接させて保持することができ、標本ホルダ２１は、少なくともディッシュ、スライドガラス、フラスコ、及びテラサキプレートを確実に固定して保持することができる。
【００６６】
なお、標本ホルダ２１は、必要な部材の数が実施の形態１と比較して少ないため、製造コストを低減させるために有利な構成である。さらに、容器保持部２４が１つであるため、容器保持部を２つ有する構成よりも、容器を保持するための動作が簡易である。
【００６７】
（実施の形態３の変形例）
次に、実施の形態３の変形例に係る標本ホルダについて説明する。図１５は、実施の形態３の変形例に係る標本ホルダの概略構成を示す図である。図１５に示すように、実施の形態３の変形例に係る標本ホルダ２１Ａは、本体２２Ａの長孔２２Ａｂが形成された方向を除いて、実施の形態３に係る標本ホルダ２１と同様の構成を備えるので、適宜説明を省略する。
【００６８】
本体２２Ａには、開口部２２Ａａと、本体２２Ａの短手方向に沿って連続した長孔２２Ａｂとが形成されている。さらに、本体２２Ａは、本体２２Ａの主面に沿って延在しており容器１５０Ａを支持する支持部２２Ａｃを有する。
【００６９】
標本ホルダ２１Ａでは、１つの容器保持部２４の当接部２４ａと、本体２２Ａの開口部２２Ａａの２つの内壁面との３カ所を直方体形状の容器１５０Ａに当接させて保持する。このように、容器保持部２４が本体２２Ａの短手方向に沿って移動可能な構成であっても容器１５０Ａに３カ所を当接させて保持することができ、標本ホルダ２１Ａは、少なくともディッシュ、スライドガラス、フラスコ、及びテラサキプレートを確実に固定して保持することができる。
【００７０】
なお、上記実施の形態では、標本ホルダ１をホルダ保持部１０３ａに着脱可能に載置する構成について説明したが、これに限られない。ホルダ保持部が標本ホルダを固定する固定機構を有し、標本ホルダがホルダ保持部に固定機構で固定される構成であってもよい。また、標本ホルダは、ステージ又はメカニカルステージと一体として構成されていてもよい。
【００７１】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００７２】
１、１Ａ、１Ｂ、１Ｃ、１１、２１、２１Ａ  標本ホルダ
２、２Ａ、２Ｂ、２Ｃ、１２、２２、２２Ａ  本体
２ａ、２Ａａ、２Ｂａ、２Ｃａ、１２ａ、２２ａ、２２Ａａ  開口部
２ｂ、２Ａｂ、２Ｂｂ、２Ｃｂ、１２ｂ、２２ｂ、２２Ａｂ  長孔
２Ａｃ  切欠部
２Ｂｄ  突起部
２Ｃｅ  弾性部
３、１３、２３  ツマミ
４、１４、２４  容器保持部
４ａ  ネジ部
４ｂ、１４ａ、２４ａ  当接部
４ｃ、１４ｂ、２２ｃ、２２Ａｃ、２４ｂ  支持部
５  ワッシャ
１００  顕微鏡装置
１０１  顕微鏡本体
１０２  ステージ
１０２ａ  穴
１０３  メカニカルステージ
１０３ａ  ホルダ保持部
１０３ｂ  機構部
１０３ｃ  ハンドル
１０４  光源
１０５  コンデンサ
１０６  照明支柱
１０７  対物レンズ
１０８  レボルバ
１０９  焦準ハンドル
１１０  反射ミラー
１１１  観察鏡筒
１１２  接眼レンズ
１５０、１５０Ａ、１５０Ｂ、１５０Ｃ  容器
Ｌ１、Ｌ２  距離
Ｏ  観察光軸
Ｐ  面
Ｒ  軌跡
α、β  幅
【図１】
0006550315.tif 000002
【図２】
0006550315.tif 000003
【図３】
0006550315.tif 000004
【図４】
0006550315.tif 000005
【図５】
0006550315.tif 000006
【図６】
0006550315.tif 000007
【図７】
0006550315.tif 000008
【図８】
0006550315.tif 000009
【図９】
0006550315.tif 000010
【図１０】
0006550315.tif 000011
【図１１】
0006550315.tif 000012
【図１２】
0006550315.tif 000013
【図１３】
0006550315.tif 000014
【図１４】
0006550315.tif 000015
【図１５】
0006550315.tif 000016